(57)【要約】【課題】簡単な構造で展示物収納ケースと額フレームとを着脱できる立体物展示用額縁を提供する【解決手段】前面を開口部１１に形成して後面を後面板１２で閉塞した胴枠部１０よりなる展示物収納ケース１を、胴枠部１０の前側部を額フレーム２の後面に設けた凹段部２３に嵌合自在とした立体物展示用額縁であって、前記胴枠部１０を２枚の板材により間隔を置いた外側板部１０ａと内側板部１０ｂよりなる二重構造に構成して、前記外側板部１０ａに係止孔１４を設けて、該係止孔１４に前記額フレ−ム２の後面２１に取り付けた係止具２４を係合させる。【選択図】図１
0003213580.tif 000002
【実用新案登録請求の範囲】
【請求項１】
前面を開口部に形成して後面を後面板で閉塞した胴枠部よりなる展示物収納ケースを、前記胴枠部の前側部を額フレームの後面の内縁に設けた凹段部に嵌合自在とした立体物展示用額縁であって、前記胴枠部を間隔を設けた外側板部と内側板部よりなる二重構造に構成して、前記外側板部に係止孔を設けて、該係止孔に前記額フレ−ムの後面に取り付けた係止具を係合させたことを特徴とする立体物展示用額縁。
【請求項２】
前記展示物収納ケースは折り畳み自在な紙箱よりなるものとした請求項１に記載の立体物展示用額縁。
【請求項３】
前記展示物収納ケースの後面に起伏自在なスタンド部を備えたものとした請求項１又は２に記載の立体物展示用額縁。
【請求項４】
前記額フレームの後面の両側に吊り掛け紐取付用の環材を備えたものとした請求項１又は２又は３に記載の立体物展示用額縁。
【考案の詳細な説明】
【技術分野】
【０００１】
本考案は、展示物収納ケースと額フレームとを着脱できる立体物展示用額縁に関するものである。
【背景技術】
【０００２】
展示物収納ケースと額フレームとを着脱できる立体物展示用額縁は、特許文献１に記載されている展示物収納ケースの前面周縁に張出させた鍔板部を額フレームに設けた止め具により係止させて着脱自在としたものが知られている。
【０００３】
しかしながら、前記したように鍔板部を止め具により係止したものは、展示物収納ケースの前面周縁に鍔板部を張出させた構造とするため、破損し易く又これを解決するために鍔板部の強度を強くするとコスト高となる問題がある。
【先行技術文献】
【特許文献】
【０００４】
【特許文献１】特開平１０−３３８０００号公報
【考案の概要】
【考案が解決しようとする課題】
【０００５】
本考案は前記のような問題を解決して、簡単な構造で展示物収納ケースと額フレームとを着脱できる立体物展示用額縁を提供することを目的として完成されたものである。
【課題を解決するための手段】
【０００６】
本考案の立体物展示用額縁は、前面を開口部に形成して後面を後面板で閉塞した胴枠部よりなる展示物収納ケースを、前記胴枠部の前側部を額フレームの後面の内縁に設けた凹段部に嵌合自在とした立体物展示用額縁であって、前記胴枠部を間隔を設けた外側板部と内側板部よりなる二重構造に構成して、前記外側板部に係止孔を設けて、該係止孔に前記額フレ−ムの後面に取り付けた係止具を係合させたことを特徴とするものである。
【０００７】
また、前記展示物収納ケースは折り畳み自在な紙箱よりなるものとすることが好ましいものである。また、前記展示物収納ケースの後面に起伏自在なスタンド部を備えたものとしてもよい。また、前記額フレームの後面の両側に吊り掛け紐取付用の環材を備えたものとしてもよい。
【考案の効果】
【０００８】
前記した本考案の立体物展示用額縁は、展示物収納ケースを額フレームから外した状態として、開口部から手工品、ドライフラワー等の立体展示物や写真、メッセージカード等の板状展示物を収納して、胴枠部の前側部を額フレームの後面の内縁に設けた凹段部に嵌合して、二重構造に構成した胴枠部の前記外側板部に設けた係止孔に前記額フレ−ムの後面に取り付けた係止具を係合させることにより、立体物収納ケースの前面に額フレームが取り付けられる。この場合、係止具が額フレームの前面側からは内側板部に隠蔽された状態となるので、立体展示物と写真等を体裁よく展示できるものである。
【０００９】
また、係止具の係止孔への係合を解除することにより、展示物収納ケースを額フレームから外して、展示物の入れ替えを行うことができるものである。
【００１０】
また、展示物収納ケースを折り畳み自在な紙箱よりなるものとすると、嵩張ることなく畳むことができるので、額フレームと重ねてコンパクトに包装、保管できるものである。
【００１１】
また、前記展示物収納ケースの後面に起伏自在なスタンド部を備えておけば、スタンド部によりラック、卓上等に展示できるものである。また、前記額フレームの後面の両側に吊り掛け紐取付用の環材を備えたものであれば、環材に吊り掛け紐を取り付けて、吊り掛け紐を壁に設けたフックに掛けて展示できるものである。
【図面の簡単な説明】
【００１２】
【図１】本考案の実施形態を示す一部切欠斜視図である。
【図２】本考案の実施形態を分解して示す一部切欠斜視図である。
【図３】本考案の実施形態を示す一部切欠背面図である。
【図４】展示物収納ケースを紙箱よりなるものといた場合の素板の一例を示す斜視図である。
【図５】図４の素板の組み立て工程の１段階目を示す斜視図である。
【図６】図４の素板の組み立て工程の２段階目を示す斜視図である。
【図７】図４の素板の組み立て工程の３段階目を示す斜視図である。展示物収納ケースの素板の一例を示す斜視図である。
【図８】図４の素板の組み立て工程の４段階目を示す斜視図である。
【図９】図４の素板の組み立て工程の最終段階である５段階目を示す斜視図である。
【図１０】スタンド部を使用した状態を示す斜視図である。
【図１１】吊り掛け紐を使用した状態を示す斜視図である。
【考案を実施するための形態】
【００１３】
次に、本考案の好ましい実施の形態を図面に基づいて説明する。
１は前面を開口部１１に形成して後面を後面板１２で閉塞した胴枠部１０よりなる展示物収納ケースである。
【００１４】
２は額フレームであり、該額フレーム２の後面２１の内縁２２には凹段部２３が設けられており、該凹段部２３に前記展示物収納ケース１の胴枠部１０の前側部１３を嵌合自在としたものである。
【００１５】
前記胴枠部１０は間隔を設けた外側板部１０ａと内側板部１０ｂよりなる二重構造としたものである。そして、前記外側板部１０ｂに係止孔１４を設けて、該係止孔１４に前記額フレ−ム２の後面２１に取り付けた係止具２４を係合させたものである。
【００１６】
なお、前記係止孔１４は額フレーム２側に位置する孔縁１４ａを額フレーム２の後面２１と同一位置とした直線状に形成したものである。また、係止具２４はトンボと通称されているものであり木の葉状をした小片の基端側を釘等で額フレーム２の後面２１に軸支して回動操作により先端側を前記係止孔１４の孔縁１４ａに係脱するものとしている。
【００１７】
また、図示の実施形態にあっては、前記展示物収納ケース１の胴枠部１０と額フレーム２を四角形状よりなるものとしている。
【００１８】
前記したように、四角形状とした展示物収納ケース１は図４に示す厚紙よりなる素板を組み立てものである。具他的には、図５〜図９に示す１段階目〜５段階目の工程により組み立てられるものである。
【００１９】
すなわち、展示物収納ケース１は、後面を形成する四角形状の後面板１２の４辺に二重構造となる胴枠部１０の外側板部１０ａを折曲線１０１を介して９０度の角度で谷折りして形成して、前記各外側板部１０ａの先端に折曲線１０２を介して９０度の角度で谷折りして細幅の先端面部１０ｃを形成して、前記各先端面部１０ｃの先端に折曲線１０３を介して９０度の角度で谷折りして前記各外側板部１０ａと平行な内側板部１０ｂを形成して、前記各内側板部１０ｂの先端に折曲線１０４を介して９０度の角度で山折りして形成した支え片部１０ｄを前記後面板１２の内面に添装して、前記細幅の先端面部１０ｃの幅を外側板部１０ａと内側板部１０ｂとの間の間隔として設けた二重構造としたものである。
【００２０】
また、前記各外側板部１０ａの隣り合う側端部間は折り畳んだマチ部１０ｅで連結されており、また、前記内側板部１０ｂのうち一方の対向する内側板部１０ｂ、１０ｂの両側に他方の対向する内側板部１０ｂの内側に折曲して挿入状態となる耳部１０ｆを備えたものとしている。
【００２１】
また、前記展示物収納ケース１の後面板１２に起伏自在なスタンド部５を備えたものとしている。このスタンド部５を図１０に示すように引き起こしてラック、卓上等に展示できるものである。
【００２２】
なお、図示のスタンド部５は、後面板１２にＬ字状の切込５１設け、該切込５１の両端５１ａ、５１ａの間に折線５１ｂを設けて、該折線５１ｂの中間に該折線５１ｂと直交する弦部５３を備えた半円状のストッパー片５２を弦部５３のスタンド部５の外側に位置する半分を折線５３ａで繋ぎ、他の半分の弦部５３ｂと半円の弧部５４のは切離して構成して、該ストッパー片５２を引き起こして該ストッパー片５２に設けた係止め凹部５２ａを前記スタンド部５に残された半円孔５５の弦部５５ａに接する弧部５５ｂの端部に係合させる構造としたものである。
【００２３】
前記のように前記展示物収納ケース１の後面板１２に切込線で起伏自在なスタンド部５を形成した場合に、該切込線を前面側から覆い隠すためと、強度を高めるために底板６を後面板１２の前面に添装したものとしている。
【００２４】
また、前記額フレーム２の後面２１の両側に吊り掛け紐取付用の環材７を備えており、該環材７に図１１に示すように吊り掛け紐８を取り付けて壁に設けたフックに掛けて展示できるとしている。
【００２５】
このように構成されたものは、展示物収納ケース１の胴枠部１０の外側板部１０ａに設けた係止孔１４に額フレーム２の後面２１に取り付けた係止具２４を係合させることにより、展示物収納ケース１の前面に額フレーム２が取り付けられる。また、係止具２４の係止孔１４への係合を解除することにより、展示物収納ケース１を額フレーム２から外して、展示物の入れ替えができるものである。
【００２６】
なお、図示の実施形態のように展示物収納ケース１の胴枠部１０を四角形状よりなるものとしたものに限定されることはなく、６角形状、８角形状さらには円形状であってもよいものである。
【符号の説明】
【００２７】
１  展示物収納ケース
10  胴枠部
10a  外側板部
10b  内側板部
11  開口部
12  後面板
13  前側部
14  係止孔
２  額フレーム
21  後面
22  内縁
23  凹段部
24  係止具
【図１】
0003213580.tif 000003
【図２】
0003213580.tif 000004
【図３】
0003213580.tif 000005
【図４】
0003213580.tif 000006
【図５】
0003213580.tif 000007
【図６】
0003213580.tif 000008
【図７】
0003213580.tif 000009
【図８】
0003213580.tif 000010
【図９】
0003213580.tif 000011
【図１０】
0003213580.tif 000012
【図１１】
0003213580.tif 000013